(57)【要約】【課題】シートジャケット本体と、シートの座面部との間に、小物等を挟持する挟持力を増大できる収納機能を有するシートジャケット構造を提供する。【解決手段】シートジャケット本体１５が、座席１のシートクッション部２に装着されるクッション用シートジャケット１６と、シートバック部３に装着される背もたれ用シートジャケット１７とに、二分割されている。  クッション用シートジャケット１６は、座面部２ａを覆う上面部１６ａの前縁部及び左右後縁左右両側に、一部を切り欠いて、座面部２ａの一部を車室内空間に露出させる前側収納開口部１６ｂ及び左右後側収納開口部１６ｃ,１６ｃが設けられて、面ファスナ部材１８,１９等で固定されている。【選択図】図１
2007097869.tif 000002
【特許請求の範囲】
【請求項１】
シートクッション部及びシートバック部を有する座席に、装着されるシートジャケット本体を有するシートジャケット構造であって、
前記シートジャケット本体は、前記シートクッション部の座面部若しくは、前記シートバック部の座面部に対応する部分のうち、少なくとも一部を切り欠いて、該何れかの座面部のうち少なくとも一部を車室内に露出させる収納開口部を設けると共に、該シートジャケット本体を前記シートクッション部の側面部若しくは、前記シートバック部の側面部のうち、複数の側面部に沿わせて固定していることを特徴とするシートジャケット構造。
【請求項２】
前記シートジャケット本体が固定される二側面は、少なくとも隅部を介して隣接する二側面を含むように構成されていることを特徴とする請求項１記載のシートジャケット構造。
【請求項３】
前記収納開口部は、前記シートバック部の肩口に相当する部分に位置することを特徴とする請求項１又は２記載のシートジャケット構造。
【請求項４】
前記収納開口部は、前記シートクッション部のうち、着座方向の後側左右両端部の少なくとも一方であることを特徴とする請求項１乃至３のうち何れか一項記載のシートジャケット構造。
【請求項５】
前記シートバック部の上側面部に装着されるヘッドレスト部材を有し、該ヘッドレスト部材から下方に凸設されるピローステーを、該シートバックの上側面部に開口形成されたステー挿通孔に挿通させて、ヘッドレスト部材を装着する際、前記シートジャケット本体の上縁部に設けられた固定用係止孔へ該ピローステーを挿通して、該シートバック部の上側面部と、前記ヘッドレスト部材との間にシートカバー上縁部を介在させて、該シートバック部の上側面部に固定することを特徴とする請求項１乃至４のうち何れか一項記載のシートジャケット構造。
【請求項６】
前記シートジャケット本体と、前記シートクッション部の側面部若しくは、前記シートバック部の側面部との間には、係脱着可能な面ファスナ部材が用いられて固定されていることを特徴とする請求項１乃至５のうち何れか一項記載のシートジャケット構造。
【発明の詳細な説明】
【技術分野】
【０００１】
本発明は、シートに用いられるシートジャケット本体によって、シートの表面側を一部覆うことにより、覆われていない部分を、小物の収納用開口部として用いることができるシートジャケット構造に関する。
【背景技術】
【０００２】
従来、図４に示すような自動車用シートカバー部材が知られている（例えば、特許文献１等参照）。
【０００３】
このような従来の自動車用シートカバー部材は、座席１のカバーとして用いられるもので、この座席１は、主にシートクッション部２及びシートバック部３を有すると共に、該シートバック部３の上側面部３ａに、ピローステー４ａ,４ａを挿通させて、ヘッドレスト部材４が装着されて構成されている。
【０００４】
このシートカバー部材５は、主に、シートクッション部２の座面部２ａ及びシートバック部３の座面部としての前面部３ｂを覆うシートカバー本体６と、前記ヘッドレスト部材４を上方から覆って保持部材７ａによって装着されるヘッドレストカバー部７とを有して主に構成されている。
【０００５】
このヘッドレストカバー部材７には、車両前後方向の後面側に、収納ポケット部７ｂ,７ｃが設けられている。
【０００６】
次に、この従来例の自動車用シートカバー部材の作用効果について説明する。
【０００７】
このように構成された従来のシートジャケット構造では、シートクッション部２の座面部２ａ及びシートバック部３の前面部３ｂが、シートカバー本体６によって覆われて、保護される。
【０００８】
そして、前記ヘッドレストカバー部材７の後面側に設けられた収納ポケット部７ｂ,７ｃに、後部座席等、この座席１の後方から、小物等を容易に出し入れ出来る。
【０００９】
また、図５及び図６に示すような他の従来の自動車用シートカバー部材８も知られている（例えば、特許文献２等参照）。
【００１０】
この従来の自動車用シートカバー部材８では、前記シートクッション部２の座面部２ａを覆うように、このシートクッション部２の前端部２ｂ及び後端部２ｃに締付バンド部材１１,１１が用いられて、第１矩形シートカバー部材９ａ及び第２矩形シートカバー部材９ｂが装着されている。
【００１１】
この第１矩形シートカバー部材９ａと、第２矩形シートカバー部材９ｂとの間には、弾性クッション部材１２が、一体となるように縫合されて接続されている。
【００１２】
このように構成された従来の自動車用シートカバー部材８では、前記前記シートクッション部２の座面部２ａと前記第１矩形シートカバー部材９との間に、一定の大きさの開口部１０が形成されている。
【特許文献１】実用新案登録第３０８７２９０号公報（図１）
【特許文献２】特開２０００−４９９４号公報（段落０００９乃至段落００１５、図１,図３）
【発明の開示】
【発明が解決しようとする課題】
【００１３】
しかしながら、前記図４に示すような従来の自動車用シートカバー部材５では、前記収納ポケット部７ｂ,７ｃが、前記ヘッドレストカバー部材７の後面側に設けられているので、側方から小物の出し入れがしにくいといった問題があった。
【００１４】
また、前記図５及び図６に示すような従来の自動車用シートカバー部材８では、このシートカバー部材８が、シートクッション部２の前端部２ｂ及び後端部２ｃに２カ所で、締付バンド部材１１,１１が用いられて固定される。
【００１５】
このため、前記開口部１０の周縁の挟持力は弱く、前記シートクッション部２の座面部２ａと前記第１矩形シートカバー部材９との間に書類や、小物等を挟持させて、座席１の側方から出し入れを行い、この部分を収納部として用いようとする為には、所望の挟持力を得られず、小物等を保持することが困難であるといった問題があった。
【００１６】
そこで、この発明は、シートジャケット本体と、シートの座面部との間に、小物等を挟持する挟持力を増大できる収納機能を有するシートジャケット構造を提供することを課題としている。
【課題を解決するための手段】
【００１７】
上記目的を達成するために、請求項１に記載された発明は、シートクッション部及びシートバック部を有する座席に、装着されるシートジャケット本体を有するシートジャケット構造であって、前記シートジャケット本体は、前記シートクッション部の座面部若しくは、前記シートバック部の座面部に対応する部分のうち、少なくとも一部を切り欠いて、該何れかの座面部のうち少なくとも一部を車室内に露出させる収納開口部を設けると共に、該シートジャケット本体を前記シートクッション部の側面部若しくは、前記シートバック部の側面部のうち、複数の側面部に沿わせて固定しているシートジャケット構造を特徴としている。
【発明の効果】
【００１８】
このように構成された請求項１記載のものは、前記シートジャケット本体のうち、前記シートクッション部の座面部若しくは、前記シートバック部の座面部に対応する部分のうち、少なくとも一部を切り欠いて形成される収納開口部から、座席の側方等に向けて、小物等を出し入れ出来る。
【００１９】
そして、前記シートジャケット本体が、前記シートクッション部の側面部若しくは、前記シートバック部の側面部のうち、複数の側面部に沿わせて固定されている。
【００２０】
このため、該シートジャケット本体の切り欠かれた収納開口部は、固定された部分の間に位置して、該収納開口部周縁に一定の張力が与えられる。
【００２１】
従って、該収納開口部周縁と、前記座面部との間の挟持力を増大することが出来る。
【発明を実施するための最良の形態】
【００２２】
次に、図面に基づいて、この発明を実施するための最良の実施の形態のシートジャケット構造について説明する。
【００２３】
図１乃至図３は、この発明を自動車用シートに適用した場合の実施の形態のシートジャケット構造を示すものである。
【００２４】
なお、前記従来例と同一乃至均等な部分については、同一符号を付して説明する。
【００２５】
まず、構成から説明すると、この実施の形態では、運転席又は、運転席の側方に位置する助手席側の座席１が、主にシートクッション部２及びシートバック部３を有すると共に、このシートバック部３の上側面部３ａに、ピローステー４ａ,４ａを挿通させて、ヘッドレスト部材４が装着されて構成されている。
【実施例１】
【００２６】
図１及び図２は、この発明を自動車用シートに適用した場合の実施の形態の実施例１のシートジャケット構造を示すものである。
【００２７】
この実施例１のシートジャケットでは、シートジャケット本体１５が、前記座席１のシートクッション部２に装着されるクッション用シートジャケット１６と、前記シートバック部３に装着される背もたれ用シートジャケット１７とに、二分割されている。
【００２８】
このうち、前記シートクッション部２に装着される前記クッション用シートジャケット１６は、座面部２ａを覆う上面部１６ａの前縁部及び左右後縁左右両側に、一部を切り欠いて、座面部２ａの一部を車室内空間に露出させる前側収納開口部１６ｂ及び左右後側収納開口部１６ｃ,１６ｃが設けられている。
【００２９】
また、前記シートクッション部２の前側面部２ｂ及びこの前側面部２ｂと、前側左,右隅部２ｄ,２ｄを各々介して隣接する左,右側面部２ｃ,２ｃとの間に跨って、上面視湾曲形状を呈して、貼設される面ファスナ部材（商標名：マジックテープ等）１８,１８が設けられている。
【００３０】
そして、前記クッション用シートジャケット１６には、前記上面部１６ａから一体に延設されて、前側左,右隅被覆部１６ｄ,１６ｄが設けられている。
【００３１】
この前側左,右隅被覆部１６ｄ,１６ｄは、前記前側左,右隅部２ｄ,２ｄを介して、両側に位置する前側面部２ｂ及び左,右側面部２ｃ,２ｃを一部覆う略袋状を呈していて、装着状態では、車両前後方向及び車幅方向に引かれる力に対して、容易に離脱しないように、これらの前側左,右隅部２ｄ,２ｄに係止される鉛直断面略鉤状に形成されている。
【００３２】
そして、この前側左,右隅被覆部１６ｄ,１６ｄの裏面側に、これらの面ファスナ部材１８,１８と係脱着可能な面ファスナ部材１９,１９が貼設されている。
【００３３】
この実施例１における面ファスナ部材１８，１９等は、細かいカギ状になっているフックを密に配設したフック面と、小さなループを密に配設したループ面とを各々有する可撓性を有する略長方形形状の面材を２枚１組として使用されるものである。
【００３４】
更に、前記クッション用シートジャケット１６には、前記上面部１６ａから車両後方へ向けて一体に延設される後側被覆部１６ｅの裏面側に、前記シートクッション部２の後側面部２ｅに貼設された面ファスナ部材２０と、係脱着可能な面ファスナ部材２１が貼設されている。
【００３５】
このため、この実施例１では、シートクッション部２の後側左,右隅部２ｆ,２ｆを介して、略直交するように隣接する左,右側面部２ｃ,２ｃ及び後側面部２ｅに、前記クッション用シートジャケット１６が、前記面ファスナ部材１８,１９及び２０,２１によって固定されて、前記左右後側収納開口部１６ｃ,１６ｃの開口周縁部に、書籍Ｂや或いは小物Ｃ等を、前記座面部２ａとの間に挟持して保持する為に必要とされる一定の張力が与えられている。
【００３６】
また、前記背もたれ用シートジャケット１７には、前記シートバック部３の座面部としての前面部３ｂに対応する背もたれ面部１７ａのうち、左,右肩口に相当する部分に位置する部分を切り欠いて、前面部３ｂの一部を車室内空間に露出させる肩口収納開口部１７ｂ,１７ｂが設けられている。
【００３７】
この背もたれ用シートジャケット１７には、前記上面部１６ａから、下方向に一体に延設されて、装着状態では、前記シートクッション部２とシートバック部３との間に挟持される延設被覆部１７ｃが設けられている。
【００３８】
この延設被覆部１７ｃの裏面側には、面ファスナ部材２２,２２が貼設されている。これらの面ファスナ部材２２,２２は、各々前記シートバック部３の下側面部に貼設される図示省略の面ファスナ部材と係脱着可能となるように構成されている。
【００３９】
また、前記上面部１６ａから、車幅方向に一体に延設される左,右被覆部１７ｄ,１７ｄの裏面側には、面ファスナ部材２４,２４が貼設されている。
【００４０】
これらの面ファスナ部材２４,２４は、各々前記シートバック部３の左,右側面部３ｃ,３ｃの下端寄りに貼設された面ファスナ部材２３,２３に対して、係脱着可能となるように構成されている。
【００４１】
更に、この実施例１では、図１に示すように、前記シートバック部３の上側面部３ａに装着されるヘッドレスト部材４が設けられている。
【００４２】
このヘッドレスト部材４には、ヘッドレストクッション部４ｂから下方に向けて、金属製の丸棒状のピローステー４ａ，４ａが、左右一対、凸設されている。
【００４３】
また、前記背もたれ用シートジャケット１７の上縁部１７ｅ近傍には、固定用係止孔１７ｆ，１７ｆが開口形成されている。
【００４４】
そして、前記左右一対のピローステー４ａ，４ａを、シートバック部３の上側面部３ａに開口形成されたステー挿通孔３ｅ，３ｅに挿通させて、このヘッドレスト部材４を装着する際、これらのピローステー４ａ，４ａが、前記固定用係止孔１７ｆ，１７ｆに挿通される。
【００４５】
よって、前記シートバック部３の上側面部３ａと、前記ヘッドレスト部材４との間にシートカバー上縁部１７ｅを介在させて、シートバック部３の上側面部３ａに、この背もたれ用シートジャケット１７が固定されるように構成されている。
【００４６】
このように、この実施例１では、シートバック部３のうち、この背もたれ用シートジャケット１７の隅部である左右肩口部を介して、略直交するように隣接される左，右側面部３ｃ，３ｃ及び上側面部３ａに対して、前記背もたれ用シートジャケット１７が、面ファスナ部材２３,２４…及びピローステー４ａ,４ａによって固定されて、肩口収納開口部１７ｂ,１７ｂの開口周縁部に、書籍Ｂや或いは小物Ｃ等を、前記背もたれ面部１７ａとの間に挟持して保持する為に必要とされる一定の張力が与えられている。
【００４７】
次に、この実施例１のシートジャケット構造の作用効果について説明する。
【００４８】
まず、前記シートジャケット本体１５を、前記座席１に装着する順序に沿って説明すると、この実施例１のシートジャケット構造では、図１に示すように、ヘッドレスト部材４を装着する際、前記左右一対のピローステー４ａ，４ａを、シートバック部３の上側面部３ａに開口形成されたステー挿通孔３ｅ，３ｅに挿通させて、前記固定用係止孔１７ｆ，１７ｆに挿通させる。
【００４９】
そして、前記面ファスナ部材２４,２４が、各々前記シートバック部３の左,右側面部３ｃ,３ｃの下端寄りに貼設された面ファスナ部材２３,２３に対して、係着されることにより、前記シートバック部３の前面部３ｂが、一部肩口部を露出させたままとして、概略覆われるように背もたれ用シートジャケット１７が装着される。
【００５０】
また、前記シートクッション部２の座面部２ａには、前記クッション用シートジャケット１６が、前記面ファスナ部材１８,１９及び２０,２１によって固定されて、装着される。
【００５１】
そして、図２に示すように、前記シートジャケット本体１５のうち、前記シートクッション部２の座面部２ａ若しくは、前記シートバック部３の前面部３ｂに対応する部分のうち、切り欠いて形成される肩口収納開口部１７ｂ,１７ｂ又は前側収納開口部１６を介して、座席の側方等から、小物等を容易に出し入れ出来るように構成されている。
【００５２】
また、前記シートジャケット本体１５のうち、前記クッション用シートジャケット１６が、前記シートクッション部２のうち、前,後側面２ｂ,２ｅ及び左,右側面部２ｃ,２ｃに固定されている。
【００５３】
そして、前記後側収納開口部１６ｃ,１６ｃは、これらの二側面部２ｃ,２ｅ間に介在する後側の左,右隅部２ｆ,２ｆに対応する位置のクッション用シートジャケット１６に切り欠き形成されている。
【００５４】
従って、前記後側収納開口部１６ｃ,１６ｃの周縁では、これらの二側面部２ｃ,２ｅ間に、開口縁部に沿った平面視略斜め方向の一定の張力が発生している為、この座面部２ａと開口縁部との間に、小物Ｃ等の保持に必要とされる所望の挟持力を与えることが出来る。
【００５５】
また、前記シートジャケット本体１５のうち、前記背もたれ用シートジャケット１７が、前記シートバック部３の上側面部３ａ及び左,右側面部３ｃ,３ｃとに各々固定されている。
【００５６】
このため、これらの二側面部３ａ,３ｃ間に介在する肩口に対応する位置の背もたれ用シートジャケット１７に切り欠き開口形成された収納開口部１７ｂ,１７ｂ周縁では、これらの二側面部３ａ,３ｃ間に開口縁部に沿った略斜め方向の一定の張力が与えられている為、この前面部３ｂと開口縁部との間に、小物Ｃ等の保持に必要とされる所望の挟持力が得られる。
【００５７】
従って、前記座席１を覆うことにより、保護機能を有するシートジャケット本体１５に、座席１の各座面部２ａ又は前面部３ｂとの間に、書籍Ｂ若しくは小物Ｃ等を挟持させて保持できる収納機能を併せ持たせることができる。
【００５８】
そして、この実施例１では、前記シートバック部３の肩口に設けられた肩口収納開口部１７ｂ,１７ｂ或いは、シートクッション部２の後側左,右隅部２ｆに設けられた左,右後側収納開口部１６ｃ,１６ｃを用いて、座席１の側方から、例えば、運転席側等、他の座席側からこの助手席側に対して、前記書籍Ｂ若しくは小物Ｃ等を、座席１の各座面部２ａ又は前面部３ｂと、シートジャケット本体１５との間に保持させるように出し入れが出来るので、従来の前記ヘッドレストカバー部材７の後面側に収納ポケット部７ｂ,７ｃが設けられていて、後方からアクセスするものに比して、使用利便性が良好である。
【００５９】
しかも、この実施例１では、前記前側収納開口部１６ｂが、前記上面部１６ａから一体に延設される前側左,右隅被覆部１６ｄ,１６ｄの間に位置しているので、開口周縁部に沿って、固定点である前記面ファスナ部材１８,１９…の張力を作用させることが出来、小物Ｃ等の保持性が良好である。
【００６０】
従って、座席１の前方からも、この前記前側収納開口部１６ｂを介して、座面部２ａと前記上面部１６ａとの間に、小物Ｃ等を出し入れさせて、収納させることが出来、助手席のみならず、中間座席若しくは後部座席に用いても、前方の座席等からのアクセスが良好なシートジャケット構造が提供される。
【００６１】
また、前記シートジャケット本体１５と、前記シートクッション部２の各側面部２ｃ等若しくは、前記シートバック部３の左,右側面部３ｃ,３ｃ等との間には、係脱着可能な面ファスナ部材１８,１９等が用いられている。
【００６２】
このため、前記座席１に対して、クッション用シートジャケット１６及び、背もたれ用シートジャケット１７を容易に装脱着させることができる。
【００６３】
また、この実施例１では、前記左右一対のピローステー４ａ，４ａを、用いて、前記シートバック部３の上側面部３ａに前記背もたれ用シートジャケット１７の上縁部１７ｅを固定しているので、更に、この背もたれ用シートジャケット１７の装着が、確実に行える。
【００６４】
更に、この実施例１では、前記シートクッション部２の前側面部２ｂから、前側左,右隅部２ｄ,２ｄを各々介して隣接する左,右側面部２ｃ,２ｃに跨って、上面視湾曲形状を呈して、面ファスナ部材（商標名：マジックテープ等）１８,１８が貼設されて、前側左,右隅被覆部１６ｄ,１６ｄの裏面側に貼設された面ファスナ部材１８,１８と係着されることにより、二組の面ファスナ部材１８,１９によって、前側面部２ｂ及び左,右側面部２ｃ,２ｃの三側面に対して同時に、前記クッション用シートジャケット１６が固定される。
【００６５】
このため、各側面部に各々面ファスナ部材１８,１９等を設ける場合に比して、面ファスナ部材１８,１９等の数量を減少させることが出来ると共に、更に、装脱着性が良好である。
【実施例２】
【００６６】
図３は、この発明を自動車用シートに適用した場合の実施の形態の実施例２のシートジャケット構造を示すものである。
【００６７】
なお、前記実施の形態及び実施例１と同一乃至均等な部分については、実施例１と同一符号を付して、相違点を中心に説明する。
【００６８】
まず、構成について説明すると、この実施例２のシートジャケット本体２５では、背もたれ用シートジャケット２７の下縁近傍左右方向中央部に、中央開口部２７ａが形成されている。
【００６９】
また、クッション用シートジャケット２６には、前記シートクッション部２の前側の左,右隅部２ｄ,２ｄ、左,右側縁部２ｃ,２ｃ及び後側の左,右隅部２ｆ,２ｆと、これらの側面部に隣接する座面部２ａの左,右両側縁近傍が、車室内空間に露出するように切りかかれた左,右収納開口部２６ａ,２６ａが設けられている。
【００７０】
次に、この実施例２のシートジャケット構造の作用効果について説明する。
【００７１】
このように構成された実施例２のシートジャケット構造では、前記実施例１の作用効果に加えて、更に、前記クッション用シートジャケット２６の左,右収納開口部２６ａ,２６ａの車両前後方向両端が、面ファスナ部材１８,１９及び面ファスナ部材２０,２１で、シートクッション部２の前,後側面部２ｂ,２ｅに固定されている。
【００７２】
このため、左,右収納開口部２６ａ,２６ａ周縁では、これらの前,後側面部２ｂ,２ｅ間に、開口縁部に沿った平面視略前後方向の一定の張力が発生している為、前記座面部２ａとこれらの左,右収納開口部２６ａ,２６ａとの間に、小物Ｃ等の保持に必要とされる所望の挟持力を与えることが出来る。
【００７３】
また、背もたれ用シートジャケット２７の中央開口部２７ａでは、下側側面部に固定される車幅方向左,右両端の面ファスナ部材２２,２２に加えて、更に、左,右被覆部１７ｄ,１７ｄの面ファスナ部材２３,２４が、この背もたれ用シートジャケット２７を、シートクッション部３の左,右側面部３ｃ,３ｃに固定する。
【００７４】
このため、複数の側面部３ｃ,３ｃに、面ファスナ部材２２,２２及び２３,２４で、固定された前記中央開口部２７ａ周縁では、開口縁部に沿った車幅方向へ一定の張力が発生する。
【００７５】
従って、前記前面部３ｂと、この中央開口部２７ａとの間に、小物Ｃ等の保持に必要とされる所望の挟持力を与えることが出来る。
【００７６】
他の構成、及び作用効果については、前記実施例１と同様であるので説明を省略する。
【００７７】
以上、図面を参照して、本発明の実施の形態の実施例１及び２を詳述してきたが、具体的な構成は、この実施の形態に限らず、本発明の要旨を逸脱しない程度の設計的変更は、本発明に含まれる。
【００７８】
即ち、前記実施の形態の実施例１では、前記シートジャケット本体１５が、前記クッション用シートジャケット１６と、背もたれ用シートジャケット１７とに分割されているが、特にこれに限らず、例えば、前記クッション用シートジャケット１６と、背もたれ用シートジャケット１７とが一体に設けられているものであってもよく、或いは、前記クッション用シートジャケット１６と、背もたれ用シートジャケット１７とのうち何れか一方が、前記座席１に固定されるように構成されていても良く、座席１の何れかの複数の側面部に固定されることにより、収納用の開口部の周縁に一定の張力が与えられるものであれば、形状、数量及び材質が特に限定されるものではない。
【図面の簡単な説明】
【００７９】
【図１】この発明の最良の実施の形態の実施例１のシートジャケット構造で、シートジャケット本体を、座席に装着する様子を説明する分解斜視図である。
【図２】実施例１のシートジャケット構造で、シートジャケット本体が、座席に装着された様子を説明する斜視図である。
【図３】実施例２のシートジャケット構造で、シートジャケット本体が、座席に装着される様子を説明する分解斜視図である。
【図４】一従来例の実施例１のシートカバーで、座席に装着される様子を説明する分解斜視図である。
【図５】他の従来例のシートカバーで、カバーが装着された座席の斜視図である。
【図６】他の従来例の自動車用シートカバーで、カバーが装着された状態での座席の側面図である。
【符号の説明】
【００８０】
１          座席
２          シートクッション部
２ａ        座面部
側面部
２ｂ          前側面部
２ｃ,２ｃ      左，右側面部
２ｅ          後側面部
３          シートバック部
３ｂ        前面部（座面部）
側面部
３ａ          上側面部
３ｃ          左,右側面部
１５,２５  シートジャケット本体
１６,２６  クッション用シートジャケット
１６ａ    上面部
１６ｂ    前側収納開口部
１６ｃ，１６ｃ
左，右後側収納開口部
１７,２７  背もたれ用シートジャケット
１７ａ    背もたれ面部
１７ｂ    肩口収納開口部
１７ｆ    固定用係止孔
２６ａ，２６ａ
左，右収納開口部
２７ａ  中央開口部
【図１】
2007097869.tif 000003
【図２】
2007097869.tif 000004
【図３】
2007097869.tif 000005
【図４】
2007097869.tif 000006
【図５】
2007097869.tif 000007
【図６】
2007097869.tif 000008